(57)【要約】【課題】バックライトの駆動により発生するノイズの影響を抑え、タッチパネルに対する操作の誤検出を防ぐことを可能にした電子機器を提供する。【解決手段】ディスプレイと、ディスプレイの表示面側に設けられたタッチ操作を検出可能なタッチパネルと、ディスプレイのバックライトと、バックライトの電流をパルス幅変調駆動して制御するバックライト制御手段とを有し、ＣＰＵが、タッチパネルのサブスキャン周波数とは異なる電流駆動周波数でバックライト制御手段にバックライトを駆動制御させるようにして、バックライトの駆動により発生するノイズの影響を抑え、タッチパネルに対するタッチ操作の誤検出を防ぐことができるようにする。【選択図】図４
2019021328.tif 000002
【特許請求の範囲】
【請求項１】
表示手段と、
タッチ操作を検出するための複数の列電極と複数の行電極とが直交するように配置され、前記表示手段の表示面側に設けられたタッチパネルと、
前記表示手段の輝度を制御するバックライトと、
前記バックライトの電流をパルス幅変調駆動して制御するバックライト制御手段と、
前記タッチパネルからタッチ操作に応じて変化する前記列電極と前記行電極との交点における信号の検出を行う第１の周波数の自然数倍の周波数とは異なる第２の周波数で前記バックライトを前記バックライト制御手段に駆動制御させる制御手段とを有することを特徴とする電子機器。
【請求項２】
前記制御手段は、前記第１の周波数を取得し、取得した前記第２の周波数に応じて前記バックライト制御手段に駆動制御させることを特徴とする請求項１記載の電子機器。
【請求項３】
前記第２の周波数は、可聴域よりも速い周波数かつ前記第１の周波数よりも遅い周波数であることを特徴とする請求項１又は２記載の電子機器。
【請求項４】
前記第２の周波数は、可聴域よりも速い周波数かつ前記第１の周波数の逓倍周波数もしくは分周周波数のうち可聴域に最も近い周波数よりも遅い周波数であることを特徴とする請求項１〜３の何れか１項に記載の電子機器。
【請求項５】
予め設定される前記第１の周波数の情報が格納された記憶手段を有し、
前記制御手段は、前記記憶手段から前記第１の周波数の情報を取得することを特徴とする請求項１〜４の何れか１項に記載の電子機器。
【請求項６】
前記第２の周波数は、前記第１の周波数よりも遅い周波数であることを特徴とする請求項１記載の電子機器。
【請求項７】
表示手段と、タッチ操作を検出するための複数の列電極と複数の行電極とが直交するように配置され、前記表示手段の表示面側に設けられたタッチパネルと、前記表示手段の輝度を制御するバックライトとを有する電子機器の制御方法であって、
前記電子機器のバックライト制御手段が、前記バックライトの電流をパルス幅変調駆動して制御する工程と、
前記タッチパネルからタッチ操作に応じて変化する前記列電極と前記行電極との交点における信号の検出を行う第１の周波数の自然数倍の周波数とは異なる第２の周波数で前記バックライトを前記バックライト制御手段に駆動制御させる工程とを有することを特徴とする電子機器の制御方法。
【請求項８】
表示手段と、タッチ操作を検出するための複数の列電極と複数の行電極とが直交するように配置され、前記表示手段の表示面側に設けられたタッチパネルと、前記表示手段の輝度を制御するバックライトとを有する電子機器の制御方法をコンピュータに実行させるためのプログラムであって、
前記電子機器のバックライト制御手段に、前記バックライトの電流をパルス幅変調駆動して制御させるステップと、
前記タッチパネルからタッチ操作に応じて変化する前記列電極と前記行電極との交点における信号の検出を行う第１の周波数の自然数倍の周波数とは異なる第２の周波数で前記バックライトを前記バックライト制御手段に駆動制御させるステップとをコンピュータに実行させるためのプログラム。
【請求項９】
請求項８記載のプログラムを記録したことを特徴とするコンピュータ読み取り可能な記憶媒体。
【発明の詳細な説明】
【技術分野】
【０００１】
本発明は、電子機器、電子機器の制御方法、プログラム、及び記憶媒体に関する。
【背景技術】
【０００２】
スマートフォンをはじめとする携帯通信端末やデジタルカメラなどの表示用モニタとして、タッチパネル付きの液晶モニタが使用されている。例えば、マルチタッチやジェスチャー操作などの対応で静電容量方式のタッチパネルが多く搭載されている。タッチパネル付きの液晶モニタにおいて、タッチパネルは、図６に示すように液晶モニタの表示面側に配置されている。図６において、６０１はタッチパネル、６０２は液晶モニタ（ディスプレイ）のＴＦＴパネル、６０３は液晶モニタのバックライトである。
【０００３】
液晶モニタ上にタッチパネルを配置する構造のため、液晶の駆動やバックライトの駆動によって発生するノイズにタッチパネルは影響を受けてしまう。特に、インセル型やオンセル型などの方式では、ガラスやフィルムを挟まずに液晶電極上やカラーフィルタ上にタッチパネルを配置する構造のために影響が顕著であることが分かっている。
【０００４】
液晶モニタのバックライトには主に白色発光ダイオードが用いられており、発光輝度は白色発光ダイオードに流す電流値によって決まる。発光ダイオードの電流制御としては、電流値を直流で制御する方法と、パルス幅変調制御（ＰＷＭ制御）と呼ばれる、直流の電流値を固定にして電流を流すタイミングをパルス幅で制御する方法との２つの制御方法がある。直流制御を行うと白色発光ダイオードの色味が電流値によって変化するため、デジタルカメラなど撮影した画像をモニタで確認する用途のモニタについては、輝度によって色味が変化しないようにするため、ＰＷＭ制御を使うことが多い。
【０００５】
しかし、ＰＷＭ制御ではバックライト電流のオンとオフとのスイッチングを繰り返すためにスイッチングによるノイズが発生し、そのノイズをタッチパネルが受けてしまう。タッチパネルに対する操作を検出するためのタッチパネルの容量検出周波数とバックライト電流のＰＷＭ駆動周波数とが一致すると、ノイズによる影響が大きくなり、タッチパネルの出力信号が変動し操作を誤検出する要因となる。
【０００６】
例えば、特許文献１には、タッチパネルのタッチ検出とバックライトの駆動とを同期させることで、バックライトの駆動によるノイズを軽減する技術が開示されている。
【先行技術文献】
【特許文献】
【０００７】
【特許文献１】特開２０１３−２３５１９７号公報
【発明の概要】
【発明が解決しようとする課題】
【０００８】
しかしながら、特許文献１に開示された技術では、タッチパネルのタッチ検出を行う領域に沿って、バックライトを並列に配置する必要がある。また、タッチパネルのタッチ検出とバックライトの駆動とを同期させるための制御を並列接続したバックライトの各々に行う必要があるために、タッチパネルのタッチ検出及びバックライトの制御が複雑になってしまう。本発明の目的は、バックライトの駆動により発生するノイズの影響を抑え、タッチパネルに対する操作の誤検出を防ぐことを可能にした電子機器を提供することである。
【課題を解決するための手段】
【０００９】
本発明に係る電子機器は、表示手段と、タッチ操作を検出するための複数の列電極と複数の行電極とが直交するように配置され、前記表示手段の表示面側に設けられたタッチパネルと、前記表示手段の輝度を制御するバックライトと、前記バックライトの電流をパルス幅変調駆動して制御するバックライト制御手段と、前記タッチパネルからタッチ操作に応じて変化する前記列電極と前記行電極との交点における信号の検出を行う第１の周波数の自然数倍の周波数とは異なる第２の周波数で前記バックライトを前記バックライト制御手段に駆動制御させる制御手段とを有することを特徴とする。
【発明の効果】
【００１０】
本発明によれば、タッチパネルから信号の検出を行う周波数とは異なる周波数でバックライトを駆動制御することで、バックライトの駆動により発生するノイズの影響を抑えることができ、タッチパネルに対するタッチ操作の誤検出を防ぐことができる。
【図面の簡単な説明】
【００１１】
【図１】本発明の実施形態における電子機器の構成例を示す図である。
【図２】本実施形態におけるタッチパネルを説明するための図である。
【図３】本実施形態におけるタッチパネルの検出タイミングの例を示す図である。
【図４】本実施形態におけるタッチパネルの検出タイミングとバックライトの駆動タイミングとの例を示す図である。
【図５】本実施形態におけるバックライトの電流駆動周波数の設定例を示す図である。
【図６】タッチパネル付きの液晶モニタの構成を示す断面図である。
【発明を実施するための形態】
【００１２】
以下、本発明の実施形態を図面に基づいて説明する。
【００１３】
図１は、本発明の一実施形態における電子機器１の構成例を示すブロック図である。ＣＰＵ（Central Processing Unit）１１は、電子機器１のシステムを制御するマイコンである。制御部としてのＣＰＵ１１は、不揮発性メモリ１２に格納されたプログラムをメインメモリ１３に展開して実行することで、電子機器１の各機能部に係る制御を行う。例えば、ＣＰＵ１１は、後述するようにタッチパネル１９に対するタッチ操作を検出するためのタッチパネル１９の容量検出周波数に応じてバックライト２３の電流駆動周波数を制御する。
【００１４】
不揮発性メモリ１２は、ＣＰＵ１１が動作するための各種プログラムなどが格納されている記憶部である。メインメモリ１３は、例えばＲＡＭ（Random Access Memory）からなる。例えばＣＰＵ１１は、不揮発性メモリ１２に格納されるプログラムに従い、メインメモリ１３をワークメモリとして用いて、電子機器１の各部を制御する。また、電子機器１が不図示の撮像素子やレンズなどのカメラ機能を有する場合には、メインメモリ１３は、撮影された静止画像や動画像を格納するメモリとしても用いられ、所定枚数の静止画像や所定時間の動画像を格納するのに十分な記憶容量を有している。
【００１５】
電源スイッチ（ＳＷ）１４は、電子機器１のオンとオフとを制御するスイッチである。電源回路１５は、電子機器１内の各部に電力を供給するための回路であり、電源ＳＷ１４がオンになると電子機器１内の各部に電力を供給する。また、電源回路１５は、ＣＰＵ１１からの省電力モードへの移行や復帰の信号などを受けて動作が制御される。電池１６は、電子機器１の電源となる。なお、電池１６に限らず、ＡＣアダプタなどでもよい。記録メディア１７は、電子機器１に挿抜可能な記録メディアである。外部接続インタフェース（Ｉ／Ｆ）１８は、例えばＵＳＢ（Universal Serial Bus）やＨＤＭＩ（登録商標）（High-Definition Multimedia Interface）などの、外部機器との接続を可能にするインタフェースである。
【００１６】
タッチパネル（タッチセンサ）１９は、例えば静電容量方式のタッチパネルであり、タッチ操作に対し指などの電導物体との間に容量を発生させる。タッチパネル１９は、例えば、表示部としてのディスプレイ２１の表示面側に、二次元平面状に設置される。タッチパネル制御部２０は、タッチパネル１９を制御するコントローラ回路である。タッチパネル制御部２０は、容量検出信号をタッチパネル１９に送信し、タッチパネル１９からの検出信号を基にタッチ操作を検出した座標や領域を演算してＣＰＵ１１へ送信することで、タッチパネル１９に対する操作検出を可能にする。
【００１７】
表示部としてのディスプレイ２１は、例えば液晶パネルからなる表示用モニタである。表示制御部２２は、ＣＰＵ１１からの表示データの制御信号を受信し、受信した制御信号を処理してディスプレイ２１に対して画像を表示させるための表示信号を出力するコントローラ回路である。
【００１８】
バックライト２３は、ディスプレイ２１のバックライトである。バックライト２３は、例えば白色発光ダイオードからなる。バックライト制御部２４は、バックライト２３の輝度を制御するためのコントローラ回路であり、バックライト２３を駆動制御する。バックライト制御部２４がパルス幅変調駆動（ＰＷＭ駆動）でバックライト２３に流す電流を制御し、バックライト２３がＰＷＭ制御される。撮像素子２５は、不図示のレンズを通して被写体として結像された光学像を電気信号に変換する光学センサである。
【００１９】
図２は、タッチパネル１９及びタッチパネル制御部２０の構成例について示す図である。タッチパネル１９は、例えば静電容量方式のタッチパネルである。タッチパネル１９は、列配列された複数の列電極２０５と、行配列された複数の行電極２０６とを有し、この直交するように配置された電極の行電極２０６を走査線とし、列電極２０５を読出線として使用する。
【００２０】
図２（ｂ）は、図２（ａ）に示した枠Ａに示される電極の交点部の拡大図である。列電極２０５は、所定の電位に固定され、行電極２０６は、定電流回路２０８に接続される。定電流回路２０８により微弱な電流が流されると、列電極２０５と行電極２０６との間に発生する相互容量２０７に電荷が蓄積される。１つの列電極２０５と１つの行電極２０６とが交差する１交点当たりの検出信号として十分なレベルの信号を得るためには、１回の蓄積のみでは蓄積時間が長くなるためにノイズの影響を受ける可能性が高い。
【００２１】
そこで、１交点当たり短時間で複数回の蓄積を実施するサブスキャンを行い、積分回路２０９にて積分を行う。１交点（１スキャン）の測定の結果は、Ａ／Ｄコンバータ２１０によりデジタル信号に変換される。Ａ／Ｄコンバータ２１０から出力される検出信号の信号値の変化量を静電容量変化量として測定することで、タッチパネル１９に対するタッチ操作の有無を判定することが可能である。積分回路２０９及びＡ／Ｄコンバータ２１０は、例えば検出信号処理回路２０３に設けられる。
【００２２】
図２（ａ）において、制御回路２０１は、外部クロック入力或いは内部発振回路を源振として、クロック信号を生成するためのＰＬＬ（Phase Locked Loop）回路を有する。制御回路２０１のＰＬＬ回路により、１スキャンの周期或いは１サブスキャンの周期を変更することが可能である。走査線駆動回路２０２及び検出信号処理回路２０３は、制御回路２０１により供給されるクロック信号によって駆動される。
【００２３】
また、制御回路２０１は、検出信号処理回路２０３から出力された各電極の交点における検出信号の信号値が、任意のタッチ判定の閾値を超えているか否かを順次検出する。制御回路２０１は、検出信号の信号値がタッチ判定の閾値を超えていれば、タッチ検出フラグをつけてデータをメモリ２０４に転送する。制御回路２０１は、１フレーム分、言い換えればタッチパネル１９における電極のすべての交点部のスキャンが完了すると、メモリ２０４に格納された１フレームの検出データから、タッチ検出領域のグルーピング及びタッチ位置の重心演算を行う。これにより制御回路２０１は、タッチ検出数とタッチ検出座標とを算出する。
【００２４】
走査線駆動回路２０２は、スキャンパルスＹ０〜Ｙ８を出力し、走査線としての行電極２０６（Ｙ０〜Ｙ８）を順次選択し駆動する。選択された行電極２０６には、定電流回路２０８により微弱な電流が流される。１走査線当たりのサブスキャン回数は、ＣＰＵ１１から制御回路２０１への指令により任意に変更することが可能である。検出信号処理回路２０３は、読出線としての列電極２０５を順次選択して検出信号Ｘ０〜Ｘ８を読み出す。
【００２５】
図３は、タッチパネル制御部２０が行うタッチパネル１９の容量検出タイミングの例を示す図である。図３において、ＶＳＹＮＣは、ディスプレイ２１の１フレームの表示を示す垂直同期信号であり、ＨＳＹＮＣは、ディスプレイ２１の１ラインの描画を示す水平同期信号である。
【００２６】
ディスプレイ２１の表示に合わせてタッチパネル１９に対するタッチ操作の検出を行うには、１フレーム（１ＶＳＹＮＣ）期間以内にタッチパネル１９のすべての電極の交点部での容量を検出し、タッチ検出数とタッチ検出座標を算出する必要がある。上述したように１交点当たり複数回の蓄積を実施するサブスキャンを行い、かつ１フレーム以内に全点の容量検出及び演算処理を行うには、長くとも列電極数とサブスキャン回数とでフレームレートを割った周期ＴＴＣで１回のサブスキャンを行うことになる。
【００２７】
図３に示す例では、スキャンパルスＹ１〜Ｙ８がハイレベル（オン）のときに、サブスキャン、すなわち容量検出が行われる。また、スキャンパルスＹ１〜Ｙ８がローレベル（オフ）のときに、図２（ｂ）に示した積分回路２０９及びＡ／Ｄコンバータ２１０を経由して検出信号が生成する演算処理が行われる。
【００２８】
例えば、タッチパネル１９は、ディスプレイ（液晶モニタ）２１のＴＦＴ画素のゲート駆動によるノイズの影響も受けるため、水平同期のブランキング期間中やゲート電圧が安定しているタイミングにタッチパネル１９の容量検出を行うことが多い。特に、インセル型やオンセル型のタッチパネルでは、ＴＦＴの電極がタッチパネルの電極も兼ねるため、タッチパネル１９のサブスキャン周波数が水平同期周波数ＨＳＹＮＣと同期することになる。
【００２９】
図４は、タッチパネル制御部２０が行うタッチパネル１９の容量検出タイミングとバックライト２３の駆動タイミングとの例を示す図である。図４（ａ）に示す例では、タッチパネル制御部２０がタッチパネル１９の制御を行う周期（サブスキャンを行う周期）ＴＴＣとバックライト２３の電流駆動周期ＴＢＬ１とが同期している。このとき、バックライト２３の電流のスイッチングのタイミングとタッチパネル１９でのサブスキャン（容量検出）のタイミングＴＳＣとが常に一致する場合が発生する。
【００３０】
タイミングが常に一致することで、タッチパネル１９がバックライト２３の電流のスイッチングにより発生するノイズの影響を受けて、タッチパネル１９からの検出信号が変動する。タッチパネル１９からの検出信号が変動することで、タッチ操作をしてもタッチ操作として検出しない、或いはタッチ操作をしていないにもかかわらずタッチ操作として検出してしまうなどの誤検出の要因につながる。
【００３１】
図４（ｂ）に示す例では、タッチパネル制御部２０がタッチパネル１９の制御を行う周期ＴＴＣとバックライト２３の電流駆動周期ＴＢＬ２とは異なる周期の周波数に設定している。このように異なる周波数にすることで、バックライト２３の電流のスイッチングのタイミングとタッチパネル１９でのサブスキャン（容量検出）のタイミングＴＳＣとが一致する回数が減っていることが分かる。したがって、バックライト２３の電流のスイッチングにより発生するノイズの影響を抑制することができ、タッチパネル１９に対するタッチ操作の誤検出を防ぐことができる。
【００３２】
そこで、本実施形態では、タッチパネル制御部２０がタッチパネル１９の制御を行う周期ＴＴＣに応じて、図４（ｂ）に一例を示すように、周期ＴＴＣとバックライト２３の電流駆動周期ＴＢＬ２とが異なる周期の周波数となるように設定する。より詳細には、タッチパネル１９の制御を行う周期ＴＴＣの周波数の自然数倍の周波数とは異なる周波数となるようにバックライト２３の電流駆動周期ＴＢＬ２を設定する。例えば、ＣＰＵ１１が、タッチパネル制御部２０がタッチパネル１９の制御を行う周期ＴＴＣを取得する。そして、ＣＰＵ１１が、取得した周期ＴＴＣ（及び逓倍した周期）とは異なる周期となるようにバックライト制御部２４にバックライト２３をＰＷＭ駆動するときの電流駆動周期ＴＢＬ２を設定する。
【００３３】
なお、タッチパネル制御部２０がタッチパネル１９の制御を行う周期ＴＴＣを予め設定して、周期ＴＴＣの情報を不揮発性メモリ１２に格納しておき、その情報をＣＰＵ１１が読み出すことによって周期ＴＴＣを取得するようにしても良い。また、バックライト２３の電流駆動周期をタッチパネル１９の制御を行う周期よりも遅くするほうが、タッチパネル１９での容量検出回数よりもバックライト２３の電流のスイッチング回数が少なくなるため、よりノイズの影響を少なくできる。
【００３４】
図５は、本実施形態におけるバックライト２３の電流駆動周波数の設定領域について説明するための図である。２０ＫＨｚ以下は、一般的な人間の可聴域に当たっている。動画記録機能を搭載したデジタルカメラなどの電子機器では、バックライト制御部２４がバックライト２３の電流駆動のスイッチング制御を行う。ここで、バックライト制御部２４が２０ＫＨｚ以下でスイッチング制御を行うと、コンデンサなどの周辺部品の振動が電子機器１の内部にある不図示のマイクに伝わって、人間が聴き取り可能な周波数領域の音声ノイズとして記録されてしまう。
【００３５】
よって、動画記録機能を持つ電子機器においては、２０ＫＨｚ以上にバックライト２３の電流駆動周波数を設定する必要がある。以下のようにバックライト２３の電流駆動周波数を設定することで、動画記録機能を有するデジタルカメラなどの電子機器において、バックライト２３のスイッチング制御により可聴な音声ノイズが記録されることを防止することができる。
【００３６】
図５（ａ）は、タッチパネル１９のサブスキャン周波数ＦＴＣ（＝１／周期ＴＴＣ）が水平同期周波数と同一周波数となった場合のバックライト２３の電流駆動周波数ＦＢＬ（＝１／周期ＴＢＬ２）の設定周波数帯を示した図である。例えば、液晶モニタのＴＦＴ画素のゲート駆動によるノイズにも考慮した場合にサブスキャン周波数ＦＴＣが水平同期周波数と同一周波数に設定される。その場合には、例えば電流駆動周波数ＦＢＬは、サブスキャン周波数ＦＴＣの周期ＴＴＣにサブスキャン時間ＴＳＣを加算した斜線部の周波数帯よりも遅い周波数で下記の数式を満たすように設定する。
２０ＫＨｚ＜ＦＢＬ＜１／（ＴＴＣ＋ＴＳＣ）
【００３７】
図５（ｂ）は、タッチパネル１９のサブスキャン周波数ＦＴＣが可聴域２０ＫＨｚ以下である場合のバックライト２３の電流駆動周波数ＦＢＬの設定周波数帯を示した図である。その場合には、電流駆動周波数ＦＢＬは、サブスキャン周波数ＦＴＣの逓倍の周波数と同期することを避ける必要がある。このとき、例えば電流駆動周波数ＦＢＬは、可聴域２０ＫＨｚを超える、サブスキャン周波数ＦＴＣの逓倍周波数（本例では２倍）の周期ＴＴＣ／２にサブスキャン時間ＴＳＣを加算した斜線部の周波数帯よりも遅い周波数で下記の数式を満たすように設定する。
２０ＫＨｚ＜ＦＢＬ＜１／（ＴＴＣ／２＋ＴＳＣ）
【００３８】
図５（ｃ）は、タッチパネル１９のサブスキャン周波数ＦＴＣが可聴域２０ＫＨｚよりも十分に高い場合のバックライト２３の電流駆動周波数ＦＢＬの設定周波数帯を示した図である。その場合には、電流駆動周波数ＦＢＬは、サブスキャン周波数ＦＴＣの分周となる周波数と同期することを避ける必要がある。このとき、例えば電流駆動周波数ＦＢＬは、可聴域２０ＫＨｚを超える、サブスキャン周波数ＦＴＣの分周周波数（本例では１／２倍）の周期２×ＴＴＣにサブスキャン時間ＴＳＣを加算した斜線部の周波数帯よりも遅い周波数で下記の数式を満たすように設定する。
２０ＫＨｚ＜ＦＢＬ＜１／（２×ＴＴＣ＋ＴＳＣ）
【００３９】
本実施形態によれば、タッチパネル１９の制御を行う周期の周波数に応じて、バックライト２３の駆動周波数を設定するだけで、タッチパネル１９での容量検出におけるバックライト２３の電流のスイッチングノイズの影響を容易に抑えることができる。これにより、タッチパネル１９に対するタッチ操作の誤検出を防ぐことができ、タッチパネル１９の操作性を向上させることが可能となる。
【００４０】
なお、図３及び図５（ａ）においては、タッチパネル１９のサブスキャン周波数ＦＴＣを水平同期周波数と同じ周波数にしているが、可聴域２０ＫＨｚを超える周波数であれば任意である。また、バックライト２３の電流駆動周波数ＦＢＬは固定してあるが、図５（ａ）、（ｂ）、（ｃ）の各条件を満たすようにバックライト２３の電流駆動周波数ＦＢＬを設定するのであれば、デューティ比や各動作条件に応じて動的に可変にするなど任意である。
【００４１】
また、本実施形態では、タッチパネルを静電容量方式としたが、走査線によりセンサを順次駆動する方式のタッチパネルであれば、方式に関わらず本発明は適用可能である。また、本実施形態に示した電極数や電極の構成、タッチ操作検出の方法に限定されるものではない。例えば、Ａ／Ｄコンバータや積分回路の構成、データ変換の順番や有無に至るまで限定されるものではない。本実施形態では、適宜、インセルタッチパネルと呼ばれる構成を一例として示したが、それ以外の方式のタッチパネルにおいても適用可能である。
【００４２】
なお、タッチパネル１９のサブスキャン周波数ＦＴＣとは異なる周波数にバックライト２３の駆動周波数を設定するための制御は、１つのハードウェアが行ってもよいし、複数のハードウェアが処理を分担することで行ってもよい。
【００４３】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００４４】
また、上述した実施形態においては、本発明を電子機器に適用した場合を例にして説明したが、これはこの例に限定されずタッチパネル及び表示部を有する機器であれば適用可能である。すなわち、本発明は、パーソナルコンピュータやＰＤＡ、携帯通信端末やデジタルカメラ、携帯電話端末や携帯型の画像ビューワ、ディスプレイを備えるプリンタ装置、デジタルフォトフレーム、音楽プレーヤー、ゲーム機、電子ブックリーダ等に適用可能である。
【００４５】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【符号の説明】
【００４６】
１：電子機器  １１：ＣＰＵ  １２：不揮発性メモリ  １３：メインメモリ  １９：タッチパネル  ２０：タッチパネル制御部  ２１：ディスプレイ  ２２：表示制御部  ２３：バックライト  ２４：バックライト制御部  ２５：撮像素子  ２０１：制御回路  ２０２：走査線駆動回路  ２０３：検出信号処理回路  ２０４：メモリ  ２０５：列電極  ２０６：行電極  ２０７：相互容量  ２０８：定電流回路  ２０９：積分回路  ２１０：Ａ／Ｄコンバータ
【図１】
2019021328.tif 000003
【図２】
2019021328.tif 000004
【図３】
2019021328.tif 000005
【図４】
2019021328.tif 000006
【図５】
2019021328.tif 000007
【図６】
2019021328.tif 000008
【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
静電容量方式のタッチパネル付きの液晶モニタであって、
第１方向に配列されている複数の第１電極と、
前記第１方向と交差する第２方向に配列されている複数の第２電極と、
前記第１電極と前記第２電極との間の相互容量の変化に対応する検出信号を出力する出力手段と、
バックライトと、を有し、
前記バックライトは、前記検出信号を出力する周波数の自然数倍と異なるＰＷＭ周波数でＰＷＭ制御可能に構成されていることを特徴とする液晶モニタ。
【請求項２】
前記タッチパネルは、インセル型又はオンセル型のタッチパネルであることを特徴とする請求項１に記載の液晶モニタ。
【請求項３】
液晶パネルを有し、
前記液晶パネルの電極は、前記タッチパネルの電極を兼ねていることを特徴とする請求項２に記載の液晶モニタ。
【請求項４】
請求項１乃至３のいずれか１項に記載の液晶モニタと、
前記バックライトを前記ＰＷＭ周波数でＰＷＭ制御するバックライト制御手段と、を有することを特徴とする電子機器。
【請求項５】
前記周波数のほうが前記ＰＷＭ周波数よりも高いことを特徴とする請求項４に記載の電子機器。
【請求項６】
前記バックライト制御手段は、前記周波数に関する情報を取得し、取得したその情報に基づいて前記バックライトをＰＷＭ制御することを特徴とする請求項４又は５に記載の電子機器。
【請求項７】
前記情報を記憶する記憶手段を有し、
前記バックライト制御手段は、前記記憶手段から前記情報を取得することを特徴とする請求項６に記載の電子機器。
【請求項８】
静電容量方式のタッチパネルと液晶パネルとバックライトとを有する電子機器であって、
前記タッチパネルの検出信号を検出するタイミングを制御するタッチパネル制御手段と、
前記検出信号を検出する周波数の自然数倍と異なるＰＷＭ周波数で前記バックライトをＰＷＭ制御するバックライト制御手段と、を有する
ことを特徴とする電子機器。
【請求項９】
前記タッチパネルは、インセル型又はオンセル型のタッチパネルであることを特徴とする請求項８に記載の電子機器。
【請求項１０】
前記液晶パネルの電極は、前記タッチパネルの電極を兼ねていることを特徴とする請求項９に記載の電子機器。
【請求項１１】
前記周波数のほうが前記ＰＷＭ周波数よりも高いことを特徴とする請求項８乃至１０のいずれか１項に記載の電子機器。
【請求項１２】
前記バックライト制御手段は、前記周波数に関する情報を取得し、取得したその情報に基づいて前記バックライトをＰＷＭ制御することを特徴とする請求項８乃至１１のいずれか１項に記載の電子機器。
【請求項１３】
前記情報を記憶する記憶手段を有し、
前記バックライト制御手段は、前記記憶手段から前記情報を取得することを特徴とする請求項１２に記載の電子機器。
【請求項１４】
第１方向に配列されている複数の第１電極と、前記第１方向と交差する第２方向に配列されている複数の第２電極と、バックライトと、を有する静電容量方式のタッチパネル付きの液晶モニタの制御方法であって、
前記第１電極と前記第２電極との間の相互容量の変化に対応する検出信号を出力するステップと、
前記検出信号を出力する周波数の自然数倍と異なるＰＷＭ周波数で前記バックライトをＰＷＭ制御するステップと、を有する
ことを特徴とする制御方法。
【請求項１５】
静電容量方式のタッチパネルと液晶パネルとバックライトとを有する電子機器の制御方法であって、
前記タッチパネルの検出信号を検出するタイミングを制御するステップと、
前記検出信号を検出する周波数の自然数倍と異なるＰＷＭ周波数で前記バックライトをＰＷＭ制御するステップと、を有する
ことを特徴とする制御方法。
【請求項１６】
請求項１４又は１５に記載の制御方法の各ステップをコンピュータに実行させるためのプログラム。
【手続補正３】
【補正対象書類名】明細書
【補正対象項目名】０００１
【補正方法】変更
【補正の内容】
【０００１】
本発明は、液晶モニタ、電子機器、制御方法、及びプログラムに関する。
【手続補正４】
【補正対象書類名】明細書
【補正対象項目名】０００９
【補正方法】変更
【補正の内容】
【０００９】
本発明に係る液晶モニタは、静電容量方式のタッチパネル付きの液晶モニタであって、第１方向に配列されている複数の第１電極と、前記第１方向と交差する第２方向に配列されている複数の第２電極と、前記第１電極と前記第２電極との間の相互容量の変化に対応する検出信号を出力する出力手段と、バックライトと、を有し、前記バックライトは、前記検出信号を出力する周波数の自然数倍と異なるＰＷＭ周波数でＰＷＭ制御可能に構成されていることを特徴とする。
また、本発明に係る電子機器は、前述の液晶モニタと、前記バックライトを前記ＰＷＭ周波数でＰＷＭ制御するバックライト制御手段と、を有することを特徴とする。